(57)【特許請求の範囲】
【請求項１】
光ビームが走査線上で主走査方向へ一定距離移動する度に出力される同期信号を逓倍して画像データクロックを生成し、この画像データクロックにより光ビームをオン・オフ制御して画像を記録する光ビーム記録装置において、
画像記録用光源が射出する光ビームを記録面上に導く走査光学系と、前記同期信号を生成する同期信号生成手段と、前記同期信号に同期しかつ主走査方向の記録エリヤを示す記録エリヤ信号を生成する記録エリヤ信号生成手段と、前記同期信号を遅延させると共にその遅延時間を変更可能とした遅延手段と、前記遅延時間の変化に対する画像データクロックのジッター量を検出するジッター量検出手段と、検出したジッター量を最小とする前記遅延時間を求める遅延時間決定手段とを備え、
前記ジッター量検出手段は、遅延手段で遅延された記録エリヤ信号を同期信号の逓倍信号とその逆相信号とでそれぞれラッチする一対のラッチ回路と、これらのラッチ回路の出力により出力が反転されるＲ−Ｓフリップフロップと、このＲ−Ｓフリップフロップの出力により逓倍信号またはその逆相信号が前記記録エリヤ信号をラッチした回数を積算する積算手段とを備え、
前記積算手段の積算値を前記ジッター量とし、前記遅延時間決定手段は各遅延時間ごとに予め決めた一定回数の走査を行い前記積算値がほぼ最大または最小となる遅延時間を求めることを特徴とする光ビーム記録装置。
【請求項２】
走査光学系はレゾナントスキャナを有する請求項１の光ビーム記録装置。
【請求項３】
同期信号生成手段は、画像記録用光ビームとは別の同期用光ビームを射出する同期用光源と、
走査光学系で走査される同期用光ビームを検出する同期用光ビーム検出手段とを有する請求項１または２の光ビーム記録装置。
【請求項４】
同期用光ビーム検出手段は、同期用光ビームの走査方向に沿い一定間隔おきに同期用光ビームを透過させる同期用基準板と、この同期用基準板を透過した同期用光ビームを一端に導く集光ロッドと、この集光ロッドの一端に設けられ同期用光ビームを検出するホトセンサとを備えることを特徴とする請求項３の光ビーム記録装置。
【請求項５】
積算手段はカウンタで形成され、遅延時間決定手段は、各遅延時間に対してそれぞれ一定回数づつ走査を繰り返した時の前記カウンタのカウント値を求め、このカウント値がほぼ最大またはほぼ最小となる遅延時間を求める請求項１の光ビーム記録装置。
【請求項６】
積算手段はＲ−Ｓフリップフロップの出力端に接続された積分回路を備え、遅延時間決定手段はこの積分回路の出力電圧がほぼ最大または最小となる遅延時間を求める請求項１の光ビーム記録装置。
【発明の詳細な説明】
【０００１】
【発明の属する技術分野】
この発明は、光ビームで記録面上を走査して画像を記録する光ビーム記録装置に関するものである。
【０００２】
【従来の技術】
光ビームを記録面上で走査させることにより、画像を記録する光ビーム記録装置においては、走査線上で光ビームが画像記録を開始する位置が副走査方向に揃っていることが、良好な画質を得るために必要になる。
【０００３】
従来より、主走査方向の走査に同期する同期信号をＰＬＬ回路（phase lock loop 回路）などで逓倍して画像データクロックを生成し、この画像データクロックにより光ビームをオン・オフ制御するものが公知である。この場合画像データの記録エリヤを同期信号に基づいて決定する。すなわち画像により決まる或る同期信号に同期した記録エリヤ信号を生成し、この記録エリヤ信号に基づいて画像データクロックを生成し、画像の記録を行う。
【０００４】
ここに画像データクロックはＰＬＬ回路の出力（逓倍信号）と記録エリヤ信号との論理積をアンドゲートにより得ることにより生成され、光ビームのオン・オフ制御を行う。しかしＰＬＬ回路の出力パルスには僅かな電気的なジッター（タイミングの変動）があるため、記録エリヤ信号に対してこのＰＬＬ回路の出力のタイミングが不適切であると、画像データクロックの最初のパルスが出るタイミングが変動する。
【０００５】
図８はこの原因を説明するための各信号の出力波形図、図９と図１０はその一部の拡大図である。ここに図９は大きなジッターが生じている状態を、図１０はジッターが小さく問題がない状態を示している。
【０００６】
図８においてＳＹは同期信号であり、光ビームが主走査方向に一定距離移動する度に電圧が高（Ｈ）・低（Ｌ）に変化する矩形波である。ＰＬＬは、この同期信号ＳＹの周波数を所定倍率（例えば１０倍）に逓倍するＰＬＬ回路の出力である逓倍信号である。ＡＲは記録エリヤ信号であり、画像データに基づいて光ビームが走査線上で画像を記録し始めるタイミングでＬからＨに変化する。なおこの記録エリヤ信号ＡＲは、画像のエリヤに近い同期信号ＳＹの立上がり（Ｌ→Ｈ）のタイミングに同期している。
【０００７】
ＣＬは画像データクロックであり、記録エリヤ信号ＡＲと逓倍信号ＰＬＬとの論理積（アンド）である。従って記録エリヤ信号ＡＲがＨレベルにある期間だけ逓倍信号ＰＬＬが出力され、これが画像データクロックＣＬとなる。この画像データクロックＣＬによって光ビームがオン・オフ制御され画像データが記録される。
【０００８】
ここに実際の逓倍信号ＰＬＬは図９、１０に示すように電気的ジッターｇ1があり、逓倍信号ＰＬＬの波形の立上がりおよび立下がりのタイミングが変動する。このため記録エリヤ信号ＡＲの波形の立上がりタイミングが逓倍信号ＰＬＬの立上がりタイミングに接近している場合には、画像データクロックＣＬが逓倍信号ＰＬＬの１周期分変動する。
【０００９】
すなわち記録エリヤ信号ＡＲの立上がり時に最初の画像データクロック（Ｂ）が生成される場合と、次の逓倍信号ＰＬＬに同期して画像データクロック（Ａ）が生成される場合とが生じる。この結果クロック（Ａ）と（Ｂ）のタイミングのずれによる大きなジッターｇ2が発生する。
【００１０】
なお記録データクロックＣＬの立上がりタイミングが、逓倍信号ＰＬＬのジッターのタイミングに重ならなければ、図１０に示すように最初の画像データクロックＣＬが生成されるタイミングは、一定となる。なおこの時には、逓倍信号ＰＬＬ自身が本来持つ電気的なジッターｇ1に対応するジッターｇ3を有するが、これは前記図９に示したジッターｇ2に比べて極めて小さいから問題ない。
【００１１】
一方光ビームを走査するためにレゾナントスキャナ（共振偏向器）を用いたものがある。これは板ばねに保持したミラーにより光ビームを反射させるものであるが、板ばねの共振現像を利用してミラーを揺動させるものであるため、同期信号の周波数が走査位置によって大きく変化する。図１１はこの場合の一走査中における同期信号の周波数の変化を示す図である。
【００１２】
この同期信号をＰＬＬ回路で例えば１０倍の周波数に逓倍すると、その時の逓倍信号ＰＬＬは図１２に実線で示すようになる。しかし実際のＰＬＬ回路では応答の遅れがあるので、実際の逓倍信号周波数は破線で示すようになる。
【００１３】
従ってこの場合には、記録エリヤ信号ＡＲに対して逓倍信号ＰＬＬが走査位置によって変動するため、記録エリヤ信号ＡＲのタイミングによって不適切な状態が発生する場合がある。図１３で（Ａ）は走査位置が走査範囲の端付近にあって逓倍信号ＰＬＬの周波数が低い場合を示す。また同図（Ｂ）は走査範囲の中央寄りでＰＬＬの周波数が高い場合を示す。
【００１４】
同図（Ａ）の場合には、ＰＬＬは大きなマージンＭ1を持つ。すなわちエリヤ信号ＡＲに対してＰＬＬはマージンＭ1の時間速くなってもジッターは発生するおそれがなく、安定した動作が得られる。しかし同図（Ｂ）の場合のようにエリヤ信号ＡＲを走査範囲の中央寄りの他の位置に移すと（画像の書き出し開始位置を遅らせると）、ＰＬＬのマージンＭ2が小さくなり、ジッターが発生し易くなる。このため主走査方向の特定の何ヶ所かでは、ＰＬＬをエリヤ信号ＡＲとの両者のタイミングが不適切となり、最初の画像データクロックＣＬが発生するタイミングが変動し、クロックＣＬの１発分のジッターを回避できないという問題が生じる。
【００１５】
そこで前記のようなジッターの発生を防ぐために、逓倍信号ＰＬＬに異なる複数の遅延時間を付加した複数のクロックを生成し、最適な遅延時間を持つクロックを選択して用いる方法が提案されている（実開昭６２−１６９５６５号、実開平２−１９６４号、特開平４−２６４８７５号）。
【００１６】
【従来技術の問題点】
しかしこの従来の方法では、周波数が高い逓倍信号ＰＬＬに基づいて微少な遅延時間の差を持った多数のクロックを生成するため、回路規模が大きくなる。また微少なタイミングの前後関係を判定する回路を実現するためには、高速で高価な素子を使用しなければならない、という問題があった。
【００１７】
【発明の目的】
この発明はこのような事情に鑑みなされたものであり、遅延回路の規模を小さくでき、高速で高価な素子を用いることなくジッターの少ない高品質の画像を得ることができる光ビーム記録装置を提供することを目的とする。
【００１８】
【発明の構成】
この発明によればこの目的は、光ビームが走査線上で主走査方向へ一定距離移動する度に出力される同期信号を逓倍して画像データクロックを生成し、この画像データクロックにより光ビームをオン・オフ制御して画像を記録する光ビーム記録装置において、
画像記録用光源が射出する光ビームを記録面上に導く走査光学系と、前記同期信号を生成する同期信号生成手段と、前記同期信号に同期しかつ主走査方向の記録エリヤを示す記録エリヤ信号を生成する記録エリヤ信号生成手段と、前記同期信号を遅延させると共にその遅延時間を変更可能とした遅延手段と、前記遅延時間の変化に対する画像データクロックのジッター量を検出するジッター量検出手段と、検出したジッター量を最小とする前記遅延時間を求める遅延時間決定手段とを備え、前記ジッター量検出手段は、遅延手段で遅延された記録エリヤ信号を同期信号の逓倍信号とその逆相信号とでそれぞれラッチする一対のラッチ回路と、これらのラッチ回路の出力により出力が反転されるＲ−Ｓフリップフロップと、このＲ−Ｓフリップフロップの出力により逓倍信号またはその逆相信号が前記記録エリヤ信号をラッチした回数を積算する積算手段とを備え、前記積算手段の積算値を前記ジッター量とし、前記遅延時間決定手段は各遅延時間ごとに予め決めた一定回数の走査を行い前記積算値がほぼ最大または最小となる遅延時間を求めることを特徴とする光ビーム記録装置により達成される。
【００１９】
ここに走査光学系はレゾナントスキャナで構成でき、この場合には記録用光ビームとは別の同期用光ビームを記録用と共通の走査光学系で走査させ、この同期用光ビームを同期用光ビーム検出手段で検出することにより同期信号を得ることができる。
【００２０】
ここに用いる同期用光ビーム検出手段は、一定間隔ごとに同期用光ビームを透過させる同期用基準板と、これを透過した光ビームを受光してホトセンサに導く集光ロッドとで構成できる。
【００２１】
ここに用いる積算手段は、Ｒ−Ｓフリップフロップの出力をカウントするカウンタで構成することができ、この場合には遅延時間の変化に対するカウント値の変化を比べて、このカウント値がほぼ最大またはほぼ最小になる遅延時間を最適とする。
【００２２】
積算手段はＲ−Ｓフリップフロップの出力を積分し、この積分電圧がほぼ最大またはほぼ最小になる遅延時間を最適としてもよい。
【００２３】
【実施態様】
図１はこの発明の一実施態様を示す図、図２はその制御回路を示す図、図３はジッター量検出手段を示す図、図４は遅延時間を次第に増大させた時のタイミングの変化を説明する図、図５は遅延時間決定方法の説明図である。
【００２４】
図１においてまず走査光学系を説明する。図で符号１０は記録用光源であり、レーザビームからなる記録用光ビーム１２を射出する。この光ビーム１２はＡＯＤ（音響光学偏向素子）などの光ビーム変調器１４、集光レンズ１６、レゾナントスキャナ１８、走査（ｆθ）レンズ２０を介して、ドラム２２に保持された記録フィルム２４に導かれる。
【００２５】
ここに光ビーム変調器１４は後記する制御回路４２により制御され、光ビーム１２をオン・オフする。レゾナントスキャナ１８は光ビームの走査平面に対して垂直な軸回りに回動可能なミラーを持ち、このミラーは板ばねの共振を利用して揺動する。走査レンズ１６は、光ビーム１２の記録フィルム２４上での走査速度を一定にする。なお２６は記録フィルム２４をドラム２２の表面に密着させるためのニップローラである。
【００２６】
２８は同期信号生成手段であり、次のように構成されている。３０は同期用光源であり、レーザビームからなる同期用光ビーム３２を射出する。この光ビーム３２は、レゾナントスキャナ１８、走査レンズ２０を介して、ドラム２２に接近しかつこのドラム２２と平行に配設された集光ロッド３４に導かれる。この集光ロッド３４の前には光ビーム３２を一定間隔ごとに透過させるグリッドを有する同期用基準板３６が配設されている。集光ロッド３４の一端にはホトセンサ３８が取付けられている。
【００２７】
従って光ビーム３２が基準板３６を通り集光ロッド３４に入射すると、ホトセンサ３８がこれを検出し、光ビーム３２の走査位置を検出する。この光ビーム３２は記録用光ビーム１２と同じレゾナントスキャナ１８で走査されるから、この光ビーム３２の走査位置から記録用光ビーム１２の走査位置を知ることができる。なお４０はライン同期用のホトセンサであり、光ビーム３２の走査開始タイミングを検出する。
【００２８】
次に制御回路４２を図２に基づいて説明する。前記ホトセンサ４０の出力信号は、ライン同期信号生成部４４で波形整形されてライン同期信号ＬＳＹとされ、またホトセンサ３８の出力は同期信号生成部４６で波形整形されて同期信号ＳＹとされ、それぞれ制御回路４２に入力される。制御回路４２は、同期信号ＳＹに遅延手段としての遅延回路４８で適宜変更可能な遅延時間を付加する。
【００２９】
遅延回路４８は直列接続された複数のディレイライン５０と、各ディレイライン５０のいずれかの出力端を選択するセレクタ５２とで形成される。セレクタ５２はＣＰＵ５４により制御される。このセレクタ５２で選択された適宜の遅延時間が付加された同期信号ＳＹＤは、ライン同期信号ＬＳＹと共に主走査方向記録エリヤ信号生成手段５６に入力され、ここで記録エリヤ信号ＡＲが生成される。
【００３０】
記録エリヤ信号生成手段５６はＣＰＵ５４から入力される記録エリヤを示すデータに基づいて、このエリヤの主走査方向の先頭に近い同期信号ＳＹＤに同期する記録エリヤ信号ＡＲを生成するものである。従ってセレクタ５２で選択した遅延時間が変化すれば、このエリヤ信号ＡＲのタイミングも変化する。図８に示したエリヤ信号ＡＲは同期信号ＳＹに同期していたが、本発明によれば遅延した同期信号ＳＹＤに同期したエリヤ信号ＡＲが得られる点が、従来と異なる。
【００３１】
一方前記の同期信号ＳＹは、逓倍回路であるＰＬＬ回路５８により逓倍される。例えば１０倍の周波数に逓倍され、逓倍信号ＰＬＬとされる。この逓倍信号ＰＬＬと前記した記録エリヤ信号ＡＲとはアンドゲート６０に入力され、両者の論理積（アンド）により画像データクロックＣＬを得る。
【００３２】
この画像データクロックＣＬは、走査線上に画像を書き込むタイミングを示すものである。このクロックＣＬは、図示しない画像データ生成部から導かれる画像データと共に変調信号生成部６２に入力され、ここで光ビーム変調器１４の駆動信号Ｄが生成される。
【００３３】
次にジッター量検出手段６４を図３に基づいて説明する。この手段６４は、まず逓倍信号ＰＬＬに対する同相信号ＰＣＫおよび逆相信号ＮＣＫを、排他的論理和６６、６８で生成する。７０、７２は一対のラッチ回路であり、これらのラッチ回路７０、７２では遅延回路４８で遅延された記録エリヤ信号ＡＲを同相信号ＰＣＫおよび逆相信号ＮＣＫでそれぞれラッチする。
【００３４】
７４はＲ−Ｓフリップフロップであり、ラッチ回路７０、７２の出力信号によりその出力が反転される。すなわち同相信号ＰＣＫが逓倍信号ＰＬＬより先行した時にラッチ回路７０の出力がＨレベルとなり、フリップフロップ７４はリセットされてその出力端はＬレベルとなる。それ以外の時、すなわち逆相信号ＮＣＫが逓倍信号ＰＬＬより先行した時および光ビーム１２が一走査終って次の走査に戻る復路の時には、フリップフロップ７４の出力はＨレベルとなる。このフリップフロップ７４の出力がＨからＬに変化する回数がカウンタ７６で積算される。
【００３５】
このカウンタ７６のカウント値はＣＰＵ５４に入力され、ＣＰＵ５４が持つ遅延時間決定手段７８によって最適な遅延時間が決定される。その手順は次の通りである。なおこの遅延時間決定手段７８はＣＰＵ５４のソフトウェアにより所定の動作を行うものであって具体的回路を有するものではないが、図２では便宜上独立の回路として示した。
【００３６】
カウンタ７６のカウント値はＣＰＵ５４によって一定回数（Ｎ回）の走査ごとにリセットされる。すなわち前記遅延回路４８で選択した１つの遅延時間ごとに予め決めた一定回数（Ｎ回）の走査を行い、その時のカウンタ７６のカウント値が求められメモリされる。同様に異なる遅延時間に対してもカウント値を求めメモリする。
【００３７】
ここで遅延時間を変えることの意味を図４に基づいて説明しておく。今エリヤ信号ＡＲと同相信号ＰＣＫとのタイミングが図４の（Ａ）に示す状態を考える。この時にはエリヤ信号ＡＲの立上がりタイミングは、同相信号ＰＣＫに重ならずに逆相信号ＮＣＫに重なるから、エリヤ信号ＡＲはラッチ回路７２（図３）にラッチされる。このためカウンタ７６のカウント値は０となり変化しない。この状態は図５におけるＡの遅延時間の範囲にに対応する。
【００３８】
エリヤ信号ＡＲの遅延時間が増大して図４（Ｂ）に示すタイミングになると、同相信号ＰＣＫの電気的なジッター範囲に重なるため、カウンタ７６のカウント値は増大する。このカウント値は範囲Ａから遠くなるのに伴って増加する。この状態は図５にＢで示す時間範囲に対応する。
【００３９】
エリヤ信号ＡＲがさらに遅延して図４（Ｃ）に示すタイミングになると、エリヤ信号ＡＲは同相信号ＰＣＫによって常にラッチされるから、カウント値は反復走査回数（Ｎ回）に等しくなる。この状態は図５にＣで示す時間範囲に対応する。さらに遅延時間を図４の（Ｄ）、（Ｅ）と増大すれば前記した（Ａ）、（Ｂ）の状態と同じになる。
【００４０】
従って図５に示すようにカウント値は、遅延時間の増加に伴って同相信号ＰＣＫの周期に相当する時間毎に周期的に増減する。ＣＰＵ５４の遅延時間決定手段７８では、１つの遅延時間ごとに一定回数の走査を行った時のカウント値を、各遅延時間に対応してそれぞれ求め、図５に示す頻度を示す図（ヒストグラム）を求める。そしてカウント値が最大（Ｎ）となる遅延時間の範囲Ｃの中で１つの最適遅延時間を決定する。例えばこの範囲Ｃの中央の遅延時間Ｔｏｐを最適とする。
【００４１】
なお最適な遅延時間Ｔｏｐは前記のように周期的に現れるから、遅延回路４８のディレイライン５０は、この周期の整数倍を付加した遅延時間に設定することができる。このためディレイライン５０の設計上都合がよい。このようにして最適遅延時間Ｔｏｐが求められると、ＣＰＵ５４はその後この最適遅延時間Ｔｏｐを用いて画像データクロックＣＬを生成させ、このクロックＣＬで画像データを変調した駆動信号Ｄを光ビーム変調器１４に送出する。
【００４２】
【他の実施態様】
図６はジッター量検出回路の他の実施態様を示す図、図７はその動作説明図である。前記した図１〜５の実施態様では、Ｒ−Ｓフリップフロップ７４の出力端の反転回数（記録エリヤ信号ＡＲが同相信号ＰＣＫによってラッチされた回数）をカウンタ７６でカウントするが、この図６に示すジッター量検出回路６４Ａでは、Ｒ−Ｓフリップフロップ７４の出力端電圧を一定の時定数を持つ積分回路８０で積分する。
【００４３】
この積分回路８０は、Ｒ−Ｓフリップフロップ７４に接続された直列抵抗と、並列コンデンサからなる低域濾波器ＬＰＦで構成される。このＬＰＦの出力電圧Ｖは、図７に示すようにＲ−Ｓフリップフロップ７４の出力の反転回数すなわちラッチ回路７０が同相信号ＰＣＫでラッチする回数により変化する。
【００４４】
例えば遅延時間が図５の範囲Ｃ内にあれば、Ｒ−Ｓフリップフロップ７４は走査の度に毎回Ｈ→Ｌの変化を繰り返すことになるから、走査の周期と同周期で変化する連続した負のパルスとなる（図７の（Ａ））。このためＬＰＦの出力電圧ＶはＶAのように小さくなる。同様に遅延時間が図５の範囲Ｂに入ると、Ｒ−Ｓフリップフロップ７４の出力に含まれる負のパルス数が減り（図７の（Ｂ））、範囲Ｃに入ると負のパルスは含まれなくなる（図７の（Ｃ））。このためＬＰＦの出力電圧Ｖは、負のパルス数が減るのに伴って図７のＶB、ＶCのように上昇してゆく。
【００４５】
このＬＰＦの出力電圧Ｖ（ＶA、ＶB、ＶC）はＡＤＣ（Analog-Degital Converter）８２でデジタル信号に変換された後、ＣＰＵ５４（図２）に入力される。ＣＰＵ５４の遅延時間決定手段７８では、電圧Ｖ（ＶA、ＶB、ＶC）が最小となる遅延時間を求め、これを最適値と決定する。ＣＰＵ５４は以後この最適遅延時間を用いて画像データクロックＣＬを生成させ、このクロックＣＬで画像データを変調した駆動信号Ｄで光ビーム変調器１４を駆動する（図２参照）。
【００４６】
以上の実施態様では、走査光学系にレゾナントスキャナ１８を用いているが、本発明はこれに限られるものではなく、ポリゴナルミラーを用いたもの、ガルバノメータミラー、ピエゾミラーを用いたものを含む。
【００４７】
【発明の効果】
請求項１の発明は以上のように、同期信号（ＳＹ）を遅延手段（４８）で遅延させてこれに同期する記録エリヤ信号（ＡＲ）を生成し、この記録エリヤ信号（ＡＲ）と同期信号（ＳＹ）の逓倍信号（ＰＬＬ）との理論積により画像データクロック（ＣＬ）を生成する一方、この記録エリヤ信号（ＡＲ）と逓倍信号（ＰＬＬ）とからジッター量を検出する。そしてこのジッター量をほぼ最小とする最適遅延時間（Ｔｏｐ）を求めるものである。
【００４８】
従って従来装置のように同期信号の逓倍信号を遅延させて画像データクロックを得るものに比べ、本発明によれば同期信号を遅延させるだけであるから、遅延回路の応答速度を低くすることができる。このため遅延時間が異なる多数のクロックを生成するための回路規模が従来装置に比べて著しく小さくなる。
【００４９】
また従来装置の遅延回路では遅延させた逓倍信号の微少なタイミングの前後関係を判定する回路が必要になるため、高速で高価な素子が必要になるが、本発明によれば逓倍する前の同期信号を遅延させるのでこのような高速の素子は不要となる。従って安価になる。
【００５０】
走査光学系としてはレゾナントスキャナを用いることができる（請求項２）。この場合には光ビームの走査速度が主走査方向に大きく変化するが、この発明を適用することにより常に高画質の画像を記録することが可能になる。同期信号は記録用光ビームとは別の同期用光ビームを同一の走査光学系で走査し、その光ビームを同期用光ビーム検出手段で検出するように構成すれば、常に正確な同期信号を得ることができる（請求項３）。
【００５１】
この場合に同期用光ビーム検出手段は、同期用光ビームの走査方向に沿い一定間隔おきに同期用光ビームを透過させる同期用基準板と、これを透過した光ビームを集めてホトセンサに導く集光ロッドとで構成することができる（請求項４）。
【００５２】
本発明のジッター量検出手段は、遅延された記録エリヤ信号（ＡＲ）を逓倍信号の同相信号（ＰＣＫ）とその逆相信号（ＮＣＫ）とでそれぞれラッチする一対のラッチ回路と、これらのラッチ回路の出力により反転されるＲ−Ｓフリップフロップと、このＲ−Ｓフリップフロップの出力により逓倍信号の同相信号（ＰＣＫ）またはその逆相信号（ＮＣＫ）が記録エリヤ信号をラッチした回数を積算する積算手段とを備える。
【００５３】
ここに用いる積算手段は、カウンタで形成する場合は、異なる遅延時間に対してそれぞれ一定回数づつ走査した時のカウント値を比較して、最適遅延時間を設定することができる。例えばこのカウンタが同相信号（ＰＣＫ）の選択回数をカウントする場合には、カウント値が最大となる遅延時間を最適とし、逆に逆相信号（ＮＣＫ）の選択回数をカウントする場合にはカウント値が最小となる遅延時間を最適とすればよい（請求項５）。
【００５４】
また積分回路を用いる場合には、この積分回路の出力電圧すなわち平滑された電圧の大・小によりジッター量を判別できる。例えばＲ−Ｓフリップフロップが同相信号（ＰＣＫ）の選択により出力が反転して負のパルスを出力する場合には、積分回数の出力電圧が最小となる時が遅延時間の最適時である（請求項６）。
【図面の簡単な説明】
【図１】本発明の一実施態様を示す図
【図２】その制御回路を示す図
【図３】ジッター量検出回路を示す図
【図４】遅延時間の増加時のタイミング変化を示す図
【図５】遅延時間決定方法の説明図
【図６】他の実施態様を示す図
【図７】その動作を説明する図
【図８】ジッターの原因を説明する図
【図９】その一部の拡大図
【図１０】同じくその一部の拡大図
【図１１】一走査中の同期信号の周波数変化を示す図
【図１２】逓倍信号ＰＬＬを示す図
【図１３】逓倍信号ＰＬＬのマージンを示す図
【符号の説明】
１０  記録用光源
１２  記録用光ビーム
１４  光ビーム変調器
１８  走査光学系の一部であるレゾナントスキャナ
２４  記録フィルム
２８  同期信号生成手段
３０  同期用光源
３２  同期用光ビーム
３４  集光ロッド
３６  同期用基準板
３８  ホトセンサ
４２  制御回路
４８  遅延手段（回路）
５４  ＣＰＵ
５６  記録エリヤ信号生成手段
５８  逓倍手段（回路）
６４、６４Ａ  ジッター量検出手段（回路）
７０、７２  ラッチ回路
７４  Ｒ−Ｓフリップフロップ
７６  カウンタ
７８  遅延時間決定手段
８０  積分手段（回路）
ＳＹ  同期信号
ＰＬＬ  逓倍信号（ＰＬＬ信号）
ＡＲ  記録エリヤ信号
ＣＬ  画像データクロック
Ｄ  駆動信号
【図１】
0003640365.tif 000002
【図２】
0003640365.tif 000003
【図３】
0003640365.tif 000004
【図４】
0003640365.tif 000005
【図５】
0003640365.tif 000006
【図６】
0003640365.tif 000007
【図７】
0003640365.tif 000008
【図８】
0003640365.tif 000009
【図９】
0003640365.tif 000010
【図１０】
0003640365.tif 000011
【図１１】
0003640365.tif 000012
【図１２】
0003640365.tif 000013
【図１３】
0003640365.tif 000014